(57)【要約】【課題】屋根材のばたつきによる騒音の発生を抑制することができる屋根構造体及び該屋根構造体に用いられる屋根受け材を提供する。【解決手段】屋根構造体１０は、屋根材１８を支持する屋根受け材３０を備える。屋根受け材３０は、中桟２６〜２８に装着される装着部３４と、装着部３４よりも柔軟な材質の発泡材で形成され、屋根材１８の下面１８ａに当接する受け部３６と、を有する。屋根受け材３０の受け部３６には、その長手方向に沿って延在した中空部３８が形成されている。【選択図】図２
2020059990.tif 000002
【特許請求の範囲】
【請求項１】
屋根材と、
前記屋根材の縁部を支持する一対の垂木部材と、
前記一対の垂木部材間に亘って設けられ、前記屋根材の下面を支持する桟部材と、
前記桟部材から上方に突出するように設けられ、前記屋根材の下面に当接する屋根受け材と、
を備えた屋根構造体であって、
前記屋根受け材は、前記桟部材に装着される装着部と、
前記装着部よりも柔軟な材質の発泡材で形成され、前記屋根材の下面に当接する受け部と、を有し、
前記受け部には、その長手方向に沿って延在した中空部が形成されていることを特徴とする屋根構造体。
【請求項２】
請求項１に記載の屋根構造体であって、
前記屋根受け材は、前記受け部の下面の一部のみが前記桟部材の上面に接触した状態で前記桟部材に装着されており、
前記受け部は、前記桟部材の上面から張り出した部分に、該受け部の下面から側面に向かって湾曲した湾曲部を有することを特徴とする屋根構造体。
【請求項３】
屋根材と、
前記屋根材の縁部を支持する一対の垂木部材と、
前記一対の垂木部材間に亘って設けられ、前記屋根材の下面を支持する桟部材と、
前記桟部材から上方に突出するように設けられ、前記屋根材の下面に当接する屋根受け材と、
を備えた屋根構造体であって、
前記屋根受け材は、前記桟部材に装着される装着部と、
前記装着部よりも柔軟な材質で形成され、前記屋根材の下面に当接する受け部と、を有し、
前記装着部には、前記桟部材の上面に当接する底板部が形成され、
前記受け部は、前記底板部の両端部から上方に突出するように設けられ、先端に向かって先細りしたテーパ形状を有することを特徴とする屋根構造体。
【請求項４】
請求項３に記載の屋根構造体であって、
前記底板部の両端部には上方に起立した起立部が設けられており、
前記受け部は、前記起立部から上方に突出するように設けられていることを特徴とする屋根構造体。
【請求項５】
請求項１〜４のいずれか１項に記載の屋根構造体であって、
前記桟部材は、その上面の一部を上方に突出させたポケット部を有し、
前記屋根受け材は、前記ポケット部の上面から上方に突出するように設けられていることを特徴とする屋根構造体。
【請求項６】
屋根材の下面を支持する桟部材から上方に突出するように設けられ、前記屋根材の下面に当接する屋根受け材であって、
前記桟部材に装着される装着部と、
前記装着部よりも柔軟な材質の発泡材で形成され、前記屋根材の下面に当接する受け部と、を有し、
前記受け部には、その長手方向に沿って延在した中空部が形成されていることを特徴とする屋根受け材。
【請求項７】
屋根材の下面を支持する桟部材から上方に突出するように設けられ、前記屋根材の下面に当接する屋根受け材であって、
前記桟部材に装着される装着部と、
前記装着部よりも柔軟な材質で形成され、前記屋根材の下面に当接する受け部と、を有し、
前記装着部には、前記桟部材の上面に当接する底板部が形成され、
前記受け部は、前記底板部の両端部から上方に突出するように設けられ、先端に向かって先細りしたテーパ形状を有することを特徴とする屋根受け材。
【発明の詳細な説明】
【技術分野】
【０００１】
本発明は、テラス屋根やカーポート等の屋根構造体及び該屋根構造体に用いられる屋根受け材に関する。
【背景技術】
【０００２】
例えば特許文献１には、テラス屋根やカーポート等の屋根構造体において、垂木部材間に架け渡された母屋（桟部材）の上面に柔軟性を有する屋根葺き材受け（屋根受け材）を装着し、この屋根葺き材受けで屋根材の下面を支持した構成が開示されている。この特許文献１には、屋根材に柔軟な屋根葺き材受けが強固に装着されるため、屋根材が風に煽られることで発生するばたつき音を防止することができる、と記載されている。
【先行技術文献】
【特許文献】
【０００３】
【特許文献１】特開２０００−１１０２９６号公報
【発明の概要】
【発明が解決しようとする課題】
【０００４】
上記特許文献１の構成は、確かに柔軟性を有する屋根受け材を桟部材と屋根材との間に設けているため、屋根材のばたつき音を低減する効果が得られる。ところが、この構成の場合、屋根材に当接する屋根受け材の受け部が屋根材の荷重によっては僅かしか潰れない形状となっている。従って、相当な強風時には、屋根受け材が屋根材の撓みに十分に追従できず、屋根材が屋根受け材の上部で跳ねるため、ばたつき音の低減効果は限定的である。
【０００５】
本発明は、上記従来技術の課題を考慮してなされたものであり、屋根材のばたつきによる騒音の発生を抑制することができる屋根構造体及び該屋根構造体に用いられる屋根受け材を提供することを目的とする。
【課題を解決するための手段】
【０００６】
本発明に係る屋根構造体は、屋根材と、前記屋根材の縁部を支持する一対の垂木部材と、前記一対の垂木部材間に亘って設けられ、前記屋根材の下面を支持する桟部材と、前記桟部材から上方に突出するように設けられ、前記屋根材の下面に当接する屋根受け材と、を備えた屋根構造体であって、前記屋根受け材は、前記桟部材に装着される装着部と、前記装着部よりも柔軟な材質の発泡材で形成され、前記屋根材の下面に当接する受け部と、を有し、前記受け部には、その長手方向に沿って延在した中空部が形成されていることを特徴とする。
【０００７】
また、本発明に係る屋根構造体は、屋根材と、前記屋根材の縁部を支持する一対の垂木部材と、前記一対の垂木部材間に亘って設けられ、前記屋根材の下面を支持する桟部材と、前記桟部材から上方に突出するように設けられ、前記屋根材の下面に当接する屋根受け材と、を備えた屋根構造体であって、前記屋根受け材は、前記桟部材に装着される装着部と、前記装着部よりも柔軟な材質で形成され、前記屋根材の下面に当接する受け部と、を有し、前記装着部には、前記桟部材の上面に当接する底板部が形成され、前記受け部は、前記底板部の両端部から上方に突出するように設けられ、先端に向かって先細りしたテーパ形状を有することを特徴とする。
【０００８】
また、本発明に係る屋根受け材は、屋根材の下面を支持する桟部材から上方に突出するように設けられ、前記屋根材の下面に当接する屋根受け材であって、前記桟部材に装着される装着部と、前記装着部よりも柔軟な材質の発泡材で形成され、前記屋根材の下面に当接する受け部と、を有し、前記受け部には、その長手方向に沿って延在した中空部が形成されていることを特徴とする。
【０００９】
また、本発明に係る屋根受け材は、屋根材の下面を支持する桟部材から上方に突出するように設けられ、前記屋根材の下面に当接する屋根受け材であって、前記桟部材に装着される装着部と、前記装着部よりも柔軟な材質で形成され、前記屋根材の下面に当接する受け部と、を有し、前記装着部には、前記桟部材の上面に当接する底板部が形成され、前記受け部は、前記底板部の両端部から上方に突出するように設けられ、先端に向かって先細りしたテーパ形状を有することを特徴とする。
【発明の効果】
【００１０】
本発明によれば、屋根材のばたつきによる騒音の発生を抑制することができる。
【図面の簡単な説明】
【００１１】
【図１】一実施形態に係る屋外構造体を前方斜め下から見上げた斜視図である。
【図２】図１に示す屋根構造体の側面断面図である。
【図３】図１に示す屋根構造体の正面断面図である。
【図４Ａ】図３中のＩＶＡ−ＩＶＡ線に沿う要部拡大断面図である。
【図４Ｂ】図３中のＩＶＢ−ＩＶＢ線に沿う要部拡大断面図である。
【図５】屋根受け材による屋根材の支持状態を説明するための要部拡大側面断面図である。
【図６Ａ】別の実施形態に係る屋根受け材についての屋根材の中央部付近での要部拡大側面断面図である。
【図６Ｂ】図６Ａに示す屋根受け材についての屋根材の縁部付近での要部拡大側面断面図である。
【図７】図６Ａに示す屋根受け材による屋根材の支持状態を説明するための要部拡大側面断面図である。
【発明を実施するための形態】
【００１２】
以下、屋根構造体についての好適な実施の形態を挙げ、添付の図面を参照しながら詳細に説明する。
【００１３】
図１に示すように、本実施形態の屋根構造体１０は、住宅や店舗等の建物の外壁１１から張り出すように設けられる。屋根構造体１０は、例えばテラス屋根やカーポート等である。以下、外壁１１に対面するように屋根構造体１０を見た方向を正面とし、正面から見て屋根構造体１０の手前側を前、奥側を後、上方を上、下方を下、左方を左、右方を右、と呼んで説明する。また各図においては、左右方向を矢印Ｘで示し、前後方向を矢印Ｙで示し、上下方向を矢印Ｚで示す。
【００１４】
図１〜図３に示すように、屋根構造体１０は、屋根１２と、屋根１２の前角部を支持する一対の支柱１４，１５とを備える。屋根１２は、屋根枠１６と、３枚の屋根材１８とで構成されている。
【００１５】
屋根枠１６は、垂木掛け材２０と、前枠２１と、左右一対の妻垂木（垂木部材）２２，２３と、２本の垂木（垂木部材）２４，２５と、３本の中桟（桟部材）２６，２７，２８と、を備える。これら各部材２０〜２８は、アルミニウム等の金属で形成された押出形材であり、それぞれ全長に亘って略一様な断面形状を有する。垂木２４，２５及び中桟２６〜２８の設置本数は屋根１２の形状や大きさ等によって適宜変更される。
【００１６】
垂木掛け材２０は、左右方向に沿って延在した枠材であり、外壁１１に沿って配設され、建物の躯体に固定されている。垂木掛け材２０は、妻垂木２２，２３の後端部間を連結している。前枠２１は、左右方向に沿って延在した枠材であり、垂木掛け材２０の前方に所定間隔離間した位置に配設されている。前枠２１は、支柱１４，１５の上端部間、及び妻垂木２２，２３の前端部間を連結している。妻垂木２２，２３は、前下がりで前後方向に沿って延在した枠材であり、左右方向で互いに対向配置されている。妻垂木２２，２３は、垂木掛け材２０の左右端部と前枠２１の左右端部との間を連結している。垂木２４，２５は、妻垂木２２，２３と平行するように設けられ、妻垂木２２，２３間に等間隔で配設されている。垂木２４，２５は、垂木掛け材２０と前枠２１との間に連結されている。中桟２６〜２８は、垂木掛け材２０及び前枠２１と平行するように設けられている。中桟２６は、妻垂木２２と垂木２４との間に架け渡され、中桟２７は、垂木２４と垂木２５との間に架け渡され、中桟２８は、垂木２５と妻垂木２３との間に架け渡されている。
【００１７】
屋根枠１６は、枠状に連結された垂木掛け材２０、前枠２１及び左右の妻垂木２２，２３の枠内部分に、垂木２４，２５及び中桟２６〜２８を架け渡した構成である。屋根枠１６は、後端側の垂木掛け材２０が建物の躯体に固定され、前端側の前枠２１が支柱１４，１５で支持された状態で、前方に向かって次第に下方に傾斜した前下がりの姿勢で配設される。
【００１８】
各屋根材１８は、前後方向に長尺な長方形状の薄板であり、例えばポリカーボネート板や熱線遮断ポリカーボネート板で構成されている。各屋根材１８は、その後縁部が垂木掛け材２０に支持され、その前縁部が前枠２１に支持されている。左端の屋根材１８は、その左右縁部が妻垂木２２と垂木２４とで支持され、中央の屋根材１８は、その左右縁部が垂木２４と垂木２５とで支持され、右端の屋根材１８は、その左右縁部が垂木２５と妻垂木２３とで支持されている。各屋根材１８は、前後方向の略中央部が左右方向に延びた中桟２６〜２８でそれぞれ支持されている。屋根材１８の設置数は適宜変更可能である。
【００１９】
図２及び図３に示すように、各中桟２６〜２８は、屋根受け材３０を介して屋根材１８の下面１８ａを支持している。各中桟２６〜２８の上面３１には、その長手方向に沿って延びたポケット部３２が設けられている。ポケット部３２は、各中桟２６〜２８の上面３１から上方に突出して長手方向に延びた矩形状の突起であり、前後方向の幅寸法が上面３１よりも幅狭である。ポケット部３２は、その上面３２ａに凹状の装着溝３２ｂが形成されている。ポケット部３２は、各中桟２６〜２８の長手方向両端部から所定の距離Ｌまでの部分を除いた範囲に設けられている（図３参照）。屋根受け材３０は、各中桟２６〜２８のポケット部３２の全長に亘って装着されている。つまり屋根受け材３０の全長は、各中桟２６〜２８の全長よりも短い。ポケット部３２を設けず、中桟２６〜２８の上面３１に直接的に装着溝３２ｂを形成してもよい。
【００２０】
図２及び図３に示すように、屋根受け材３０は、装着部３４と、受け部３６とを有する。
【００２１】
装着部３４は、ポケット部３２の装着溝３２ｂに嵌合される部分であり、下向き略Ｔ字状の断面形状である。装着部３４は、例えばＥＰＤＭ（エチレン・プロピレン・ジエンゴム）で形成されている。
【００２２】
受け部３６は、屋根材１８の下面１８ａに当接する部分であり、中央に長手方向に延びた中空部３８が形成された角筒形状の断面形状である。受け部３６は、発泡材で構成されているため装着部３４よりも柔軟な材質であり、例えばＥＰＤＭのスポンジである。受け部３６は、装着部３４と一体成形されている。中空部３８は、例えば受け部３６と略同一の断面形状を有し、受け部３６の全長に亘って貫通している。受け部３６は、その下面３６ａの幅方向（前後方向）で中央部及びその周辺部のみがポケット部３２の上面３２ａに当接している。受け部３６は、上面３２ａから外側（前後方向）に張り出した部分にＲ形状の湾曲部３６ｂを有する。湾曲部３６ｂは、受け部３６の下面３６ａの角部を丸めたものであり、下面３６ａからその側面に向かって湾曲している。
【００２３】
このように、屋根受け材３０は、硬質の装着部３４の上に発泡材で形成された軟質の受け部３６を設け、この受け部３６の軸心部分に中空部３８を有する。これにより屋根受け材３０は、屋根材１８を支持する受け部３６が適度な剛性と柔軟性を両立している。このため、屋根受け材３０は、屋根材１８の左右幅方向の中央部及びその付近では、図４Ａに示すように受け部３６がほとんど潰れない状態で屋根材１８を上に押し上げつつ支持する。一方、屋根受け材３０は、屋根材１８の左右両縁部の近傍では、図４Ｂに示すように縁部が妻垂木２２，２３や垂木２４，２５によって保持された屋根材１８からの押し下げ力を受け、受け部３６がある程度潰れた状態で屋根材１８を支持する。なお、図５中に破線で示す屋根材１８Ａは、屋根受け材３０を設けていない状態での屋根材１８の高さ位置を例示している。
【００２４】
従って、図３に示すように、受け部３６は、左右両端部から中央部に向かって次第に上に膨らんだ湾曲形状に変形する。つまり、屋根受け材３０で支持された屋根材１８は、妻垂木２２，２３や垂木２４，２５に支持された両縁部から中央部に向かって次第に上方に膨らんだ略ドーム形状に保持される。これにより屋根材１８は、適度なテンションを受けた張りのある状態で設置される。このため、当該屋根構造体１０は、相当な強風時であっても、略ドーム形状に安定支持された屋根材１８がばたつくことが防止され、ばたつきによる騒音の発生を抑制できる。屋根受け材３０は、軟質の受け部３６がポケット部３２の上面３２ａに接触しているため、騒音の発生を一層低減できる。
【００２５】
しかも受け部３６は、ある程度の剛性を有するため、適度な潰れ量で屋根材１８を支持することができる。このため、受け部３６が過剰に潰れて屋根材１８と中桟２６〜２８とが直接的に衝突するような事態も防止できる。この際、屋根受け材３０は、中桟２６〜２８の上面３１の一部を上方に突出させた幅狭なポケット部３２の上面３２ａに装着されている。このため、中桟２６〜２８の上面３１と屋根材１８の下面１８ａとの間の距離を十分に確保できる。その結果、受け部３６がある程度潰れたとしても屋根材１８と中桟２６〜２８とが直接的に衝突する事態の発生をより確実に防止できる。
【００２６】
当該屋根構造体１０では、強風によって屋根材１８が受け部３６から離れて上方に浮き上がろうとしても、受け部３６が柔軟に変形して屋根材１８の浮き上がりに追従する。このため、屋根材１８の実質的な浮き上がり量を低減でき、騒音の発生を一層抑制できる。そして、万一、屋根材１８が受け部３６から離れて浮き上がった場合であっても、図５中に２点鎖線で示す屋根材１８Ｂのようにその浮き上がり量は僅かとなる。
【００２７】
当該屋根受け材３０の受け部３６は、その下面３６ａがポケット部３２の上面３２ａから外側に張り出しており、この張り出した部分に湾曲部３６ｂを有する。このため、受け部３６は、潰された際、図４Ｂに示すように空中に浮いた状態にある湾曲部３６ｂがポケット部３２の上面３２ａを逃げるように潰れる。その結果、屋根材１８からの衝撃を一層確実に吸収でき、騒音を一層低減できる。受け部３６は、上面３２ａに接触せず、屋根材１８からの負荷を受けない部分に湾曲部３６ｂを設けているため、この部分に角部を設けた構成と比べ、材料使用量を低減し、コストを低減できる。
【００２８】
図６Ａ、図６Ｂ及び図７に示すように、当該屋根構造体１０では、上記した屋根受け材３０とは構成の異なる屋根受け材４０を用いてもよい。屋根受け材４０は、装着部４２と、受け部４４とを有する。
【００２９】
装着部４２は、装着溝３２ｂに嵌合される嵌合部４２ａと、ポケット部３２の上面３２ａに当接配置される底板部４２ｂとを有し、横向き略Ｈ字状の断面形状である。装着部４２は、例えば硬質のＴＰＥ（熱可塑性エラストマー）で形成されている。底板部４２ｂは、受け部４４の土台となる部分であり、幅方向（前後方向）の両端部に上方に起立した起立部４２ｃを有する。起立部４２ｃは省略してもよい。
【００３０】
受け部４４は、屋根材１８の下面１８ａに当接する部分であり、底板部４２ｂの両端部から上方に突出し、上方に向かって先細りした略三角柱状のテーパ形状を有する。本実施形態の底板部４２ｂは、両端部に起立部４２ｃを有し、受け部４４は各起立部４２ｃから内向きに突出している。具体的には、受け部４４は、起立部４２ｃに近い部分は垂直に近い角度で上方へと立ち上がっており、頂部に近い部分は起立部４２ｃに近い部分よりも小さい傾斜角度に寝かされた状態で頂部に向かって延びている。受け部４４の幅方向寸法は、装着部４２の底板部４２ｂの幅方向寸法内に収まっている。受け部４４は、装着部４２よりも柔軟な材質であり、例えば軟質のＴＰＥである。受け部４４は、装着部４２と一体成形されている。
【００３１】
このように、屋根受け材４０は、硬質の装着部４２がポケット部３２の上面３２ａに当接する底板部４２ｂを有し、受け部４４は底板部４２ｂの両端部から上方へと突出した先細りのテーパ形状を有する。これにより屋根受け材４０は、屋根材１８を支持する受け部４４が適度な剛性と柔軟性を両立している。このため、当該屋根受け材４０についても、上記した屋根受け材３０と同様な効果が得られる。すなわち、当該屋根受け材４０を用いた屋根構造体１０は、屋根材１８の左右幅方向の中央部及びその付近では、図６Ａに示すように受け部４４がほとんど潰れず、屋根材１８の左右両縁部の近傍では、図６Ｂに示すように受け部４４がある程度潰れた状態で屋根材１８が支持される。つまり受け部４４は、屋根材１８や積雪時の荷重によって潰れる際、そのテーパ形状が内向きに湾曲して潰れるため、潰れ量が適度に制御される（図６Ｂ参照）。すなわち、受け部４４は前後方向に広がって潰れることがないため、屋根材１８を確実に支持できる。なお、図７中に破線で示す屋根材１８Ａは、屋根受け材４０を設けていない状態での屋根材１８の高さ位置を例示している。
【００３２】
従って、当該屋根受け材４０についても、屋根材１８を左右両縁部から中央部に向かって次第に上方に膨らんだ略ドーム形状に保持することができ、屋根材１８のばたつきによる騒音の発生を抑制できる。また、受け部４４は、ある程度の剛性を有するため、過剰に潰れて屋根材１８と中桟２６〜２８とが直接的に衝突するような事態も防止できる。さらに、万一、屋根材１８が受け部４４から離れて浮き上がった場合であっても、図７中に２点鎖線で示す屋根材１８Ｂのようにその浮き上がり量は僅かとなるため、屋根材１８が中桟２６〜２８に衝突して発生する騒音を抑制できる。また、屋根受け材４０は、装着部４２の底板部４２ｂの両端に起立部４２ｃを設け、この起立部４２ｃから受け部４４を立ち上げている。このため、受け部４４は、屋根材１８からの荷重を受けた際、起立部４２ｃの方向付け作用下に確実に内向きに潰れるため、過剰な潰れを生じることがない。
【００３３】
本発明に係る屋根構造体は、屋根材と、前記屋根材の縁部を支持する一対の垂木部材と、前記一対の垂木部材間に亘って設けられ、前記屋根材の下面を支持する桟部材と、前記桟部材から上方に突出するように設けられ、前記屋根材の下面に当接する屋根受け材と、を備えた屋根構造体であって、前記屋根受け材は、前記桟部材に装着される装着部と、前記装着部よりも柔軟な材質の発泡材で形成され、前記屋根材の下面に当接する受け部と、を有し、前記受け部には、その長手方向に沿って延在した中空部が形成されていることを特徴とする。
【００３４】
また、本発明に係る屋根受け材は、屋根材の下面を支持する桟部材から上方に突出するように設けられ、前記屋根材の下面に当接する屋根受け材であって、前記桟部材に装着される装着部と、前記装着部よりも柔軟な材質の発泡材で形成され、前記屋根材の下面に当接する受け部と、を有し、前記受け部には、その長手方向に沿って延在した中空部が形成されていることを特徴とする。
【００３５】
本発明に係る屋根構造体は、屋根材と、前記屋根材の縁部を支持する一対の垂木部材と、前記一対の垂木部材間に亘って設けられ、前記屋根材の下面を支持する桟部材と、前記桟部材から上方に突出するように設けられ、前記屋根材の下面に当接する屋根受け材と、を備えた屋根構造体であって、前記屋根受け材は、前記桟部材に装着される装着部と、前記装着部よりも柔軟な材質で形成され、前記屋根材の下面に当接する受け部と、を有し、前記装着部には、前記桟部材の上面に当接する底板部が形成され、前記受け部は、前記底板部の両端部から上方に突出するように設けられ、先端に向かって先細りしたテーパ形状を有することを特徴とする。
【００３６】
また、本発明に係る屋根受け材は、屋根材の下面を支持する桟部材から上方に突出するように設けられ、前記屋根材の下面に当接する屋根受け材であって、前記桟部材に装着される装着部と、前記装着部よりも柔軟な材質で形成され、前記屋根材の下面に当接する受け部と、を有し、前記装着部には、前記桟部材の上面に当接する底板部が形成され、前記受け部は、前記底板部の両端部から上方に突出するように設けられ、先端に向かって先細りしたテーパ形状を有することを特徴とする。
【００３７】
このような構成によれば、屋根受け材の受け部が左右両端部から中央部に向かって次第に上に膨らんだ湾曲形状に変形するため、屋根材が両縁部から中央部に向かって次第に上方に膨らんだ略ドーム形状に保持される。このため、相当な強風時であっても、略ドーム形状に安定支持された屋根材がばたつくことが防止され、ばたつきによる騒音の発生を抑制できる。
【００３８】
前記屋根受け材は、前記受け部の下面の一部のみが前記桟部材の上面に接触した状態で前記桟部材に装着されており、前記受け部は、前記桟部材の上面から張り出した部分に、該受け部の下面から側面に向かって湾曲した湾曲部を有する構成としてもよい。そうすると、受け部は、屋根材によって潰された際、湾曲部が桟部材を逃げるように潰れるため、屋根材からの衝撃を一層確実に吸収でき、騒音を一層低減できる。
【００３９】
前記底板部の両端部には上方に起立した起立部が設けられており、前記受け部は、前記起立部から上方に突出するように設けられた構成としてもよい。そうすると、受け部は、屋根材からの荷重を受けた際、その根元が起立部で支持された状態で確実に内向きに潰れるため、過剰な潰れを生じることがない。
【００４０】
前記桟部材は、その上面の一部を上方に突出させたポケット部を有し、前記屋根受け材は、前記ポケット部の上面から上方に突出するように設けられた構成としてもよい。そうすると、桟部材と屋根材との間の距離をポケット部の高さ分だけ余計に確保できるため、屋根受け材の受け部がある程度潰れたとしても屋根材と桟部材とが直接的に衝突する事態の発生を防止できる。
【００４１】
なお、本発明は、上記した実施形態に限定されるものではなく、本発明の主旨を逸脱しない範囲で自由に変更できることは勿論である。
【符号の説明】
【００４２】
１０  屋根構造体、１２  屋根、１６  屋根枠、１８，１８Ａ，１８Ｂ  屋根材、１８ａ，３６ａ  下面、２２，２３  妻垂木、２４，２５  垂木、２６〜２８  中桟、３０，４０  屋根受け材、３１，３２ａ  上面、３２  ポケット部、３４，４２  装着部、３６，４４  受け部、３６ｂ  湾曲部、３８  中空部、４２ｂ  底板部、４２ｃ  起立部
【図１】
2020059990.tif 000003
【図２】
2020059990.tif 000004
【図３】
2020059990.tif 000005
【図４Ａ】
2020059990.tif 000006
【図４Ｂ】
2020059990.tif 000007
【図５】
2020059990.tif 000008
【図６Ａ】
2020059990.tif 000009
【図６Ｂ】
2020059990.tif 000010
【図７】
2020059990.tif 000011